(57)【特許請求の範囲】
【請求項１】
水平なカウンターを洗い場の壁面から突設し、上記カウンターと洗い場の床面との間の空間に引出し状の収納庫を出し入れ自在に設けて成る洗い場のカウンター構造であって、カウンターを支えて壁面に固着させる支持体にレールを設けると共に収納庫にもレールを設け、収納庫のレールと支持体のレールとが係止することで収納庫を支持体に摺動自在に装着し、収納庫を所定量引き出して自重により収納庫の前面側を下にして傾斜した際に収納庫のレールが係止されるストッパーを、支持体のレールとの間で収納庫のレールを挟んで係止する位置にて、前側が下になるように傾斜させて支持体に設け、支持体の下部にアジャスタボルト孔を設け、アジャスタボルトをアジャスタボルト孔に鉛直に回転自在に螺合し、アジャスタボルトの一端を洗い場の床面に当接させるとともに、支持体の後部の下端を下方に突出させて洗い場の床面に当接させたことを特徴とする洗い場のカウンター構造。
【請求項２】
カウンターの上方において壁面にカランを突設させたことを特徴とする請求項１に記載の洗い場のカウンター構造。
【請求項３】
カウンターの下方空間に設けた収納庫以外の部分においてカウンターの前縁部と洗い場の床面の間に前幕板を設け、上記前幕板にカランを設けたことを特徴とする請求項１に記載の洗い場のカウンター構造。
【請求項４】
引出し状の収納庫を傾けずに引き出した際には引き抜くことができるようにしたことを特徴とする請求項１乃至３の何れかに記載の洗い場のカウンター構造。
【発明の詳細な説明】
【０００１】
【発明の属する技術分野】
本発明は、洗い場の壁面に突設したカウンターの構造に関する発明である。
【０００２】
【従来の技術】
従来から浴室は、浴槽及び洗い場が設けられ、壁が囲むように立設して形成されているものである。また、一般的には浴室に隣接して脱衣所が設けられ、浴室と脱衣所とを連通する開口が洗い場の壁面に穿設されている。また、開口を有さない洗い場の壁面にはカウンターが洗い場の床面と水平に突出するように設けられていて、例えばカランがカウンター上部の壁面に設けられている場合には、カウンターの上面に洗面器などを置き、カランから供給される湯水を受けて使用することもできたり、またシャンプーなどを上面に置いて使用することができたりするものであった。
【０００３】
【発明が解決しようとする課題】
しかしながら、入浴具や清掃具など浴室で使用するものをカウンターの上面に置くことはできるが、それを収納することができず、入浴する際にはカウンターの上面に置かれた清掃具などが景観を悪くし、清掃する際にはカウンターの上面に置かれた入浴具が邪魔になっていた。
【０００４】
本発明は上記の点に鑑みてなされたものであり、従来デッドスペースであったカウンターの下方空間に入浴具等を景観よく収納し、また必要なときにすぐに取り出すことのできるカウンターの構造を提供することを課題とするものである。
【０００５】
【課題を解決するための手段】
上記課題を解決するために本発明の請求項１に係る洗い場のカウンター構造は、水平なカウンター５を洗い場２の壁面３ｂから突設し、上記カウンター５と洗い場２の床面２ａとの間の空間に引出し状の収納庫９を出し入れ自在に設けて成る洗い場のカウンター構造であって、カウンター５を支えて壁面３ｂに固着させる支持体６にレール１３を設けると共に収納庫９にもレール２３を設け、収納庫９のレール２３と支持体６のレール１３とが係止することで収納庫９を支持体６に摺動自在に装着し、収納庫９を所定量引き出して自重により収納庫９の前面側を下にして傾斜した際に収納庫９のレール２３が係止されるストッパー１４を、支持体６のレール１３との間で収納庫９のレール２３を挟んで係止する位置にて、前側が下になるように傾斜させて支持体６に設け、支持体６の下部にアジャスタボルト孔１７を設け、アジャスタボルト１６をアジャスタボルト孔１７に鉛直に回転自在に螺合し、アジャスタボルト１６の一端を洗い場２の床面２ａに当接させるとともに、支持体６の後部６ａの下端を下方に突出させて洗い場２の床面２ａに当接させたことを特徴とするものである。これにより、カウンター５の上に放置せざるを得なかった入浴具等を収納庫９に収納することができ、カウンター５の下方空間に前面から見えないように収納庫９が出し入れ自在に且つ簡単に収納されることで使い勝手がよく、浴室の景観を向上させるものである。また、収納庫９のレール２３が係止されるストッパー１４を前側が下になるように傾斜させて支持体６に設けたことにより、収納庫９を引き出す際の抜け落ちを防止し、安心して収納庫９を使用することができる。加えて、アジャスタボルト１６の一端を洗い場２の床面２ａに接したことで、洗い場２の床面２ａが水勾配により壁面３ｂに接する部分よりも低く位置するようであっても支持体６を確実に固定することができ、更に支持体６の後部６ａの下端を洗い場２の床面２ａに当接させてあることで、支持体６ひいてはカウンター５を安定して固定することができるようになっている。
【０００６】
また、本発明の請求項２の洗い場のカウンター構造は、請求項１において、カウンター５の上方にカラン７を設けたことを特徴とするものである。これにより、カウンター５の上面に風呂桶を置き、湯水を供給することができるので、使い勝手が向上するものである。
【０００７】
また、本発明の請求項３の洗い場のカウンター構造は、請求項１において、カウンター５の下方空間に設けた収納庫９以外の部分においてカウンター５の前縁部と洗い場２の床面２ａの間に前幕板８を設け、上記前幕板８にカラン７を設けたことを特徴とするものである。これにより、カウンター５の下方空間に設けた収納庫９以外の部分においてカウンター５の前縁部と洗い場２の床面２ａの間に前幕板８を設けたので、カウンター５の下方空間が前面から見えなくすることができ浴室の景観が向上するものであり、また、上記前幕板８にカラン７を設けたことより、カウンター５の設置位置の選定の自由度が増すものである。
【０００９】
また、本発明の請求項４の洗い場のカウンター構造は、請求項１乃至３の何れかにおいて、引出し状の収納庫９を傾けずに引き出した際には引き抜くことができるようにしたことを特徴とするものである。これにより、カウンター５の下方空間を点検または清掃等したりする際の必要な時のみに収納庫９を取り外すことができ、収納庫９の使い勝手が向上するものである。
【００１１】
【発明の実施の形態】
以下、本発明を添付図面に示す実施形態に基づいて説明する。
【００１２】
図１乃至４に本発明の実施の形態の例を示す。図３及び４に示すように浴室ユニットは大きく分けて浴槽１と洗い場２から成るものである。浴槽１の下面１ｃは洗い場２の床面２ａよりも低く設定されるものである。また、浴槽１の洗い場２側にはエプロン２４が略垂直に形成され、洗い場２の床面２ａと接しているものである。
【００１３】
浴槽１の下面１ｃには排水孔２６があり、浴槽１の側壁１ｂには手すりの機能を持たせた段差１ｄを設けている。壁面３ｃには手すり２５が突設してあり、その上部には窓２８が設けてあるものである。
【００１４】
洗い場２は水勾配を持った床面２ａで構成されており、本例の場合は浴槽１方向にかけて下り勾配を設けている。水勾配の先には、つまり浴槽１に隣接した位置において、排水溝２７が設けられており、上記排水孔２７から繋がる排水管路２７ａは浴室ユニットの下部において、上記排水孔２６から繋がる排水管路２６ａと一つに合流しているものである。洗い場２の壁面３ｄにおいては、隣室（一般的には脱衣所）に連通する開口４を設けてあり、上記開口４には洗い場２方向に突出しながら開く折りたたみ式の扉２９が設けてあるものである。また、洗い場２の壁面３ｂには、上部から鏡３０が設けられ、鏡３０と隣接して手すり３１が上下に亘って設けられ、また鏡３０の下部には湯水を供給するカラン７が壁面３ｂから突設されている。そのカラン７の下部においては、壁面３ｂから水平に突出するようにカウンター５が設けられているものである。
【００１５】
カウンター５は図１，２に示すような板状の部材である。前縁の下方向に突起片１８が、前方向に先端突起部１９がカウンター５の巾方向に亘って設けてあり、また、後部の下端においては突部２０がカウンター５の巾方向に亘って設けられている。突部２０の下方向の突出面２０'にはナット２１'を収納するナット受け部２１及びビス孔２２を穿設している。
【００１６】
支持体６は断面Ｌ型状のアングル材で形成されており、図２に示すように真ん中を中空にし、後部６ａ、上部６ｂ、前部６ｃ、下部６ｄで外郭を形成しているものである。上記アングル材において支持体６の形状を作る片と垂直を成すＬ型アングルの他片（図示せず）は支持体６の外郭に亘って設けてあり、支持体６が他の部材と接合する部分においての面を形成するものである。後部６ａは壁面３ｂに接する部分であり、壁面３ｂに固定するためのビス１０を挿入するビス孔１０'を２つ設けている。上部６ｂは後部６ａと上部６ｂとの境界付近において、凹溝１１を設けてあり、凹溝１１には上下に貫通するビス孔１２'を設けている。また、上部６ｂの下端に沿ってレール１３を突設してある。レール１３は前部においてふくらみ部１３ａを有した形状である。上記のレール１３の突設方向はＬ型アングルの他片（図示せず）の突設方向と逆の方向である。また、レール１３の上方にはストッパー１４がレール１３に対して鋭角を形成する角度を有して突設してある。その突出方向はレール１３と同方向である。また、上部６ｂと前部６ｃの境界部分には凹溝１５を設けてある。また、前部６ｃは上部６ｂ，下部６ｄの大きな面取りを形成するような形状を有するものである。下部６ｄは前部６ｃとの境界部分近傍において、アジャスタボルト孔１７を上下に貫通して設けている。上記アジャスタボルト孔１７は雌ネジ溝を有するものであり、雄ネジ溝を有するアジャスタボルト１６が下部６ｄの下方からアジャスタボルト孔１７に回転自在に螺合されるものであり、下部６ｄの上面においてロックナット４２をアジャスタボルト孔１７と連続して噛ませることで、２重ナット構造とすることができ、調整後のアジャスタボルト１６を固定することができるものである。このように支持体６に固定されたアジャストボルト１６の下端を洗い場２の床面２ａに接させるものである。このようにしたことにより、洗い場２の床面２ａが水勾配により壁面３ｂに接する部分よりも低く位置するようであっても支持体６を確実に固定することができ、支持体６ひいてはカウンター５を安定して固定することができるものである。また、下部６ｄと後部６ａとの境界部分においては、後部６ａの下端が下部６ｄの下端よりも下方向に突出するように形成しているものである。
【００１７】
引出し状の収納庫９は上面に開口９ｃを有する形状の箱体である。前幕板９ａは厚みを有した板材であり、側面板９ｂの上記開口９ｃにはレール２３を外部に突設してある。レール２３は前部にふくらみ部２３ａを設け、後部に被ストッパー部２３ｂを設けている。
【００１８】
上記のように構成される支持体６は、レール１３の突設方向が逆である支持体６を一組としてレール１３を向かい合わせるように用いられるものであり、本例の場合は２組の支持体６（４つの支持体６）をビス１０を介して壁面３ｂに固着しているものである。カウンター５は突起片１８を凹溝１５に、また突部２０を凹溝１１に嵌合させ、更にビス１２を介して支持体６に固着されるものである。また、一組の支持体６の間のレール１３に収納庫のレール２３を係止させることで収納庫９は支持体６に摺動自在に係止され、出し入れ自在に設けられるものである。通常、収納庫９のレール２３は支持体６のレール１３とストッパー１４の間の高さに位置しているものである。収納庫９をカウンター５の下部に収納させた際には、収納庫９のふくらみ部２３ａと支持体のふくらみ部１３ａによって係止されるものであり、これにより収納されている収納庫９が軽く固定されるものである。このようにカウンター５の下方空間に収納庫９を収納させたことにより、カウンター５の上面に放置せざるを得なかった入浴具等が収納庫９に入れて収納されるので、浴室の景観が向上するものである。収納庫９は前面に所定量引き出した際には、一点鎖線で示すように収納庫９は自重により前方を下にして傾斜し、収納物の出し入れがしやすいものであり、同時にふくらみ部１３ａとストッパー１４とで被ストッパー部２３ｂを挟むことになる。このようにストッパー１４が収納庫９の傾斜を押さえることにより、同時に収納庫９を引き出す際の抜け落ちも防止されるものであり、安心して収納庫９を使用することができるものである。また、レール１３とストッパー１４との間の距離はレール２３に比べて大きいものであり、収納庫９を前方に引き出した状態で、更に上方に引き上げた際には、ふくらみ部１３ａとストッパー１４とでレール１３を挟んだ状態から脱し、収納庫９が支持体６から取り外すことができるものである。これによりカウンター５の下方空間を点検または清掃等したりする際の必要な時のみに収納庫９を取り外すことができるものである。
【００１９】
浴室ユニットの天井３６には換気扇３２を備えた外部への換気管路３３が設けてあり、浴室ユニット内の空気を換気することができるものである。また、開閉可能な天井点検口３４が設けてあり、上記換気扇３２等の補修をすることができるものである。
【００２０】
また、図５（ａ）に示すように天井３６と壁面３ｂに間には照明ボックス３５が設けてあるものである。照明ボックス３５は上部に照明器具３７が取り付けられており、下部には反射板３８が設けてあるものである。反射板３８は照明ボックス３５の上部において壁面３ｂ方向に開口するものであり、照明器具３７で生じた光を壁面３ｂに当てるものであり、このようにすることにより、浴室内は壁面３ｂが発する間接照明の柔らかい光で照らされ、雰囲気がよく、気分よく入浴できるものである。ここで、壁面３ｂは照明ボックス３５を形成する部分において壁面３ａ，３ｃ，３ｄよりも高さを持たせてあるものである。なお、図中の４３は電源ケーブル、４４はアース線である。
【００２１】
また、図５（ｂ）に示すように、上述した間接照明のかわりに壁面３ｂに突出した形で半直接照明を使用することも好ましいことである。このクリア照明は照明器具３９のカバー４０の一部においてクリアー樹脂部４１を設けてあり、カウンター５の上面を直接的に強く照らすことができるものである。
【００２２】
また、実施の形態の他例として、図６に示すように、カラン７をカウンター５の前縁下部に設けた前幕板８から突設させている。このようにしたことにより、カウンター５の設置位置の選定の自由度が増すものである。
【００２３】
【発明の効果】
上記のように本発明の請求項１記載の発明にあっては、水平なカウンターを洗い場の壁面から突設したので、カウンターの上面に入浴具等を置くことができ、洗い場を使用する際に使い勝手がよくなるものであり、また、上記カウンターと洗い場の床面との間の空間に引出し状の収納庫を出し入れ自在に設けたので、カウンターの上面に放置をせざるを得なかった入浴具等を収納庫に収納することができ、浴室の景観が向上するものであり、また、収納庫は引出し状で出し入れ自在に設けたので、使用する際のみに取り出すことができ、使い勝手が向上するものである。また、カウンターを支えて壁面に固着させる支持体にレールを設けると共に収納庫にもレールを設け、収納庫のレールと支持体のレールとが係止することで収納庫を支持体に摺動自在に装着したので、収納庫の出し入れが簡単にできるものであり、また、収納庫を所定量引き出して自重により収納庫の前面側を下にして傾斜した際に収納庫のレールが係止されるストッパーを、支持体のレールとの間で収納庫のレールを挟んで係止する位置にて、前側が下になるように傾斜させて支持体に設けたので、収納庫を引き出す際の抜け落ちを防止し、安心して収納庫を使用することができる。加えて、支持体の下部にアジャスタボルト孔を設け、アジャスタボルトをアジャスタボルト孔に鉛直に回転自在に螺合し、アジャスタボルトの一端を洗い場の床面に当接させたので、洗い場の床面が水勾配により壁面に接する部分よりも低く位置するようであってもアジャスタボルトを介して支持体を確実に固定することができ、更に、支持体の後部の下端を洗い場の床面に当接させてあることで、支持体ひいてはカウンターを安定して固定することができるようになっている。
【００２４】
また、本発明の請求項２記載の発明にあっては、請求項１の効果に加えて、カウンターの上方にカランを設けたので、カウンターの上面に風呂桶を置き、湯水を供給することができるので、使い勝手が向上するものである。
【００２５】
また、本発明の請求項３記載の発明にあっては、請求項１の効果に加えて、カウンターの下方空間に設けた収納庫以外の部分においてカウンターの前縁部と洗い場の床面の間に前幕板を設けたので、カウンターの下方空間を前面よりも見えなくすることができ、浴室の景観が向上するものであり、更に上記前幕板にカランを設けたので、カウンターの設置位置の選定の自由度が増すものである。
【００２７】
また、本発明の請求項４記載の発明にあっては、請求項１乃至３の何れかの効果に加えて、引出し状の収納庫を傾けずに引き出した際には引き抜くことができるようにしたので、カウンターの下方空間を点検または清掃等したりする際の必要な時のみに収納庫を取り外すことができ、収納庫の使い勝手が向上するものである。
【図面の簡単な説明】
【図１】本発明の実施の形態の例の部分断面図である。
【図２】同上の分解図である。
【図３】同上の浴室ユニット全体の上面図である。
【図４】同上の浴室ユニット全体の側面断面図である。
【図５】（ａ）は同上の浴室ユニットの照明部分の部分側面断面図であり、（ｂ）は実施の形態の他例の浴室ユニットの照明部分の部分断面図である。
【図６】本発明の実施の形態の他例であり、浴室ユニット全体の側面断面図である。
【符号の説明】
２  洗い場
２ａ  床面
３ｂ  壁面
５  カウンター
６  支持体
８  前幕板
９  収納庫
１３  レール
１４  ストッパー
１６  アジャスタボルト
２３  レール
【図１】
0004269440.tif 000002
【図２】
0004269440.tif 000003
【図３】
0004269440.tif 000004
【図４】
0004269440.tif 000005
【図５】
0004269440.tif 000006
【図６】
0004269440.tif 000007